(57)【要約】【課題】  多数の被検者がそれぞれ異なる検査を受ける場合でも、当該検査の進行を効率化できるようにする。【解決手段】  複数の検査エリアにそれぞれ配置された複数の検査室端末１００と、複数の被検者にそれぞれ割り当てられる複数のユーザ端末３００とを備えたシステムにおいて、各検査室端末１００の端末検出部１２１が、配置先の検査エリア内にあるユーザ端末３００を検出し、情報通知部１２３がその検出結果を各ユーザ端末３００に通知し、各ユーザ端末３００の検査項目登録部３２４が、被検者が受けるべき検査の指定を受け付け、検査順提案部３２６が、情報通知部１２３から通知された検出結果に従って、指定された検査を受ける際の推奨の検査順序を被検者に提示する。検査順提案部３２６は、いずれかの検査エリアにおいて端末検出部１２１の検出結果が変化したことを検出した場合に、その変化後の検出結果に従って推奨の検査順序を再計算する。【選択図】    図５
2017058842.tif 000002
【特許請求の範囲】
【請求項１】
複数の検査エリアにそれぞれ配置された複数の通信装置と、複数の被検者にそれぞれ割り当てられる複数の端末装置とを備えた検査管理システムであって、
前記各通信装置が、
当該通信装置が配置された検査エリア内にある前記端末装置を検出する検出手段と、
前記検出手段による検出結果を前記各端末装置に提供する提供手段とを備え、
前記各端末装置が、
当該端末装置を割り当てられた被検者が受けるべき検査の指定を受け付ける受付手段と、
前記受付手段が受け付けた各検査を行っている検査エリアに配置された通信装置の提供手段が提供する前記検出結果に従って、当該端末装置を割り当てられた被検者に推奨する検査順序を求め、当該被検者に提示する提示手段とを備え、
前記提示手段は、いずれかの検査エリアにおいて前記通信装置の提供手段が提供する検出結果が変化したことを検出した場合に、その変化後の検出結果に従って前記推奨する検査順序を再計算して前記被検者に提示することを特徴とする検査管理システム。
【請求項２】
請求項１に記載の検査管理システムであって、
前記各端末装置が、
当該端末装置を割り当てられた被検者が受けた検査の結果を登録する結果登録手段と、
前記結果登録手段により登録された検査結果を所定の管理装置へ送信する送信手段を備えることを特徴とする検査管理システム。
【請求項３】
請求項２に記載の検査管理システムであって、
前記各端末装置が、前記管理装置から送信されてくる指示に従い、当該端末装置を割り当てられた被検者が受けるべき検査を追加又は削除する更新手段を備えることを特徴とする検査管理システム。
【請求項４】
請求項１乃至３のいずれか一項に記載の検査管理システムであって、
前記各通信装置は、
前記検出手段が端末装置を検出した順に、当該通信装置が配置された検査エリアで行う検査の待機列に、その検出した端末装置を登録する整列手段と、
所定の操作に応じて、前記待機列のうち、検査中の被検者の端末装置の次に登録されている端末装置を割り当てられた被検者を呼び出す呼出手段とを備えることを特徴とする検査管理システム。
【請求項５】
請求項１乃至３のいずれか一項に記載の検査管理システムであって、
前記各通信装置は、
前記検出手段が端末装置を検出した順に、当該通信装置が配置された検査エリアで行う検査の待機列に、その検出した端末装置を登録する整列手段と、
前記検出手段が、前記待機列の先頭に登録されている端末装置を検出できなくなった場合に、該端末装置を前記待機列から削除し、前記待機列の次に登録されている端末装置を割り当てられた被検者を呼び出す呼出手段とを備えることを特徴とする検査管理システム
【請求項６】
１以上の情報処理装置と、複数の被検者にそれぞれ割り当てられる複数の端末装置とを備えた検査管理システムであって、
前記各端末装置を割り当てられた各被検者について、該被検者が受けるべき検査の指定を行う検査指定手段と、
前記検査指定手段が指定した各検査を行っている検査エリアに配置された通信装置による、当該検査エリア内にある端末装置の検出結果に従って、前記端末装置を割り当てられた被検者に推奨する検査順序を求め、当該被検者に提示する提示手段とを備え、
前記提示手段は、いずれかの検査エリアにおいて前記通信装置が提供する検出結果が変化したことを検出した場合に、その変化後の検出結果に従って前記推奨する検査順序を再計算して前記被検者に提示することを特徴とする検査管理システム。
【請求項７】
複数の被検者にそれぞれ割り当てられる複数の端末装置と通信する情報処理装置であって、
前記各端末装置を割り当てられた各被検者について、該被検者が受けるべき検査の指定を行う検査指定手段と、
前記検査指定手段が指定した各検査を行っている検査エリアに配置された通信装置による、当該検査エリア内にある端末装置の検出結果に従って、前記端末装置を割り当てられた被検者に推奨する検査順序を求め、当該端末装置を通じて当該被検者に提示する提示手段とを備え、
前記提示手段は、いずれかの検査エリアにおいて前記通信装置が提供する検出結果が変化したことを検出した場合に、その変化後の検出結果に従って前記推奨する検査順序を再計算して前記被検者に提示することを特徴とする情報処理装置。
【請求項８】
コンピュータを、複数の被検者にそれぞれ割り当てられる複数の端末装置と通信する情報処理装置として機能させるためのプログラムであって、
前記各端末装置を割り当てられた各被検者について、該被検者が受けるべき検査の指定を行う検査指定手段と、
前記検査指定手段が指定した各検査を行っている検査エリアに配置された通信装置による、当該検査エリア内にある端末装置の検出結果に従って、前記端末装置を割り当てられた被検者に推奨する検査順序を求め、当該端末装置を通じて当該被検者に提示する提示手段として機能させ、
前記提示手段は、いずれかの検査エリアにおいて前記通信装置が提供する検出結果が変化したことを検出した場合に、その変化後の検出結果に従って前記推奨する検査順序を再計算して前記被検者に提示することを特徴とするプログラム。
【発明の詳細な説明】
【技術分野】
【０００１】
この発明は、検査管理システム、情報処理装置及びプログラムに関する。
【背景技術】
【０００２】
従来から、健康診断のように多数の受診者に検査を受けてもらう場合に、検査の進捗状況や混雑状況に応じて受診者毎に検査順序を決定し、全体としての検査の効率化を図るためのシステムが提案されている。このようなシステムについては、例えば特許文献１に記載されている。
【発明の概要】
【発明が解決しようとする課題】
【０００３】
しかしながら、上述のような従来のシステムでは、健康診断のように多数の受診者が同じ検査を受ける場合には検査の効率化が可能であったが、病院での検査のように、被検者毎に受けるべき検査が異なる場合には対応できないという問題があった。
この発明は、このような問題を解決し、多数の被検者がそれぞれ異なる検査を受ける場合でも、当該検査の進行を効率化できるようにすることを目的とする。
【課題を解決するための手段】
【０００４】
この発明の検査管理システムは、上記の目的を達成するため、複数の検査エリアにそれぞれ配置された複数の通信装置と、複数の被検者にそれぞれ割り当てられる複数の端末装置とを備えた検査管理システムにおいて、上記各通信装置に、その通信装置が配置された検査エリア内にある上記端末装置を検出する検出手段と、上記検出手段による検出結果を上記各端末装置に提供する提供手段とを設け、上記各端末装置に、その端末装置を割り当てられた被検者が受けるべき検査の指定を受け付ける受付手段と、上記受付手段が受け付けた各検査を行っている検査エリアに配置された通信装置の提供手段が提供する上記検出結果に従って、その端末装置を割り当てられた被検者に推奨する検査順序を求め、その被検者に提示する提示手段とを設け、上記提示手段が、いずれかの検査エリアにおいて上記通信装置の提供手段が提供する検出結果が変化したことを検出した場合に、その変化後の検出結果に従って上記推奨する検査順序を再計算して上記被検者に提示するようにしたものである。
【発明の効果】
【０００５】
上記構成によれば、多数の被検者がそれぞれ異なる検査を受ける場合でも、当該検査の進行を効率化することができる。
【図面の簡単な説明】
【０００６】
【図１】この発明の一実施形態である検査管理システムを構成する装置を含む、各種装置の配置例を示す図である。
【図２】図１に示した検査室端末のハードウェア構成を示す図である。
【図３】図１に示した診察室端末のハードウェア構成を示す図である。
【図４】図１に示したユーザ端末のハードウェア構成を示す図である。
【図５】図１に示した各装置が備える、推奨の検査順序の提示に関連する機能の構成を示す図である。
【図６】図５に示した検査室端末の各部の利用に供するために検査室端末１００が保持するデータの例を示す図である。
【図７】図５に示したユーザ端末の各部の利用に供するために検査室端末１００が保持するデータの例を示す図である。
【図８】ユーザ端末に表示させる検査状況画面の表示例を示す図である。
【図９】被検者に検査を受けることを指示する際の、図１に示した各装置の動作を示すシーケンス図である。
【図１０】被検者がいずれかの検査エリアに入った場合の、図１に示した各装置の動作を示すシーケンス図である。
【図１１】被検者が必要な全項目の検査を終了した場合の、図１に示した各装置の動作を示すシーケンス図である。
【図１２】検査エリアにおいてある被検者の検査が終了した場合の、図１に示した各装置の動作を示すシーケンス図である。
【図１３】検査室端末に表示させる検査室端末画面の例を示す図である。
【図１４】検査の終了及び被検者の移動に応じた待機列リストの遷移例を示す図である。
【図１５】検査エリアにおいてある被検者の検査が終了した場合の、図１２と別の動作例を示すシーケンス図である。
【図１６】この発明の変形例における図９と対応する動作のシーケンス図である。
【図１７】この発明の別の変形例の構成を示す図１と対応する配置例の図である。
【図１８】図１６に示した変形例における図９と対応する動作のシーケンス図である。
【発明を実施するための形態】
【０００７】
以下、この発明の実施形態について、図面を参照しつつ説明する。
〔実施形態：図１乃至図１４〕
図１に、この発明の一実施形態である検査管理システムを構成する装置を含む、各種装置の配置例を示す。
【０００８】
図１の例では、ある病院Ｓ内のＬＡＮ（ローカルエリアネットワーク）２０に接続して、検査室端末１００−１，２，・・・、および診察室端末２００が配置されている。また、ユーザ端末３００−１，２，・・・は、検査室端末１００−１，２，・・・、および診察室端末２００と無線ＬＡＮ３０を介して通信可能であり、病院Ｓ内で検査を受ける被検者に割り当てられ、検査中はその被検者に携帯されるべきものである。また、検査装置４００−１，２，・・・が、各検査エリアに配置される。なお、検査室端末１００、診察室端末２００等について、以後、個体を特定する必要のない場合にはハイフンの後ろの添え字がない符号を用いる。
【０００９】
これらのうち検査室端末１００は、１項目の検査を行うためのエリアである検査エリアに配置される端末装置であり、その検査エリア内にあるユーザ端末３００を検出して検査待ちの待機列を管理したり、その待機列の状況を所定の通知先に通知したりする機能を備える情報処理装置である。
【００１０】
なお、「検査エリア」は、壁で仕切られた１つの部屋であっても、待機スペースと検査スペースのようにさらに細かく区切られていてもよい。あるいは、外部との間に物理的な境界を設けない概念上のみのエリアであってもよい。また、この明細書でいう検査の「項目」は、特に断らない限り待機列の管理を行う単位であり、必ずしも医学的な意味での「検査項目」と一致している必要はない。
【００１１】
診察室端末２００は、診察室に配置される端末装置であり、医師等の担当者の指示に応じて、被検者に割り当てられたユーザ端末３００に対して必要な検査を指示したり、その検査結果を取得して蓄積したりする機能を備える情報処理装置である。また、検査結果を管理する管理装置としての機能も備える。
【００１２】
ここでは、以上の検査室端末１００及び診察室端末２００は、無線ＬＡＮ３０のアクセスポイントとしての機能を備えているものとする。ただし、被検者が移動する範囲を無線ＬＡＮ３０の通信可能領域でカバーできるのであれば、全ての端末にアクセスポイントの機能を設けることは必須ではないし、アクセスポイントを検査室端末１００及び診察室端末２００と別に設けることも妨げられない。
【００１３】
ユーザ端末３００は、病院Ｓ内で検査を受ける被検者に割り当ててその被検者に携帯してもらう端末装置であり、受けるべき検査の情報を表示したり、各検査エリアの待機列の状況に応じて推奨の検査順序を被検者に提示したりする機能を備える情報処理装置である。また、検査室端末１００と近距離通信を行うことにより、ユーザ端末３００を割り当てられている被検者がその検査室端末１００が配置された検査エリアに入ったことをその検査室端末１００に認識させる機能も備える。
【００１４】
検査装置４００は、検査担当者が検査の実施に用いる装置であり、その検査の結果をユーザ端末３００に伝送する機能も備える。検査装置４００は、医療器具、測定器具、あるいは単に検査担当者が検査結果を入力するために用いる器具等、任意の態様で構成することができる。また、検査結果の伝送は、近距離無線通信、赤外線通信、コード記号を表示や印刷してユーザ端末３００にそれを読み取らせる等、任意の手法で行うことができる。
ＬＡＮ２０及び無線ＬＡＮ３０は、任意の規格のものを採用可能である。ＬＡＮ以外の規格のネットワークを採用することも妨げられないし、ＬＡＮ２０を無線通信により構築してもよい。
【００１５】
以上の各装置のうち、検査室端末１００とユーザ端末３００が、この発明の検査管理システムの一実施形態を構成する。ただし、診察室端末２００を含めることも妨げられない。その他の検査管理システムの構成例については、後の実施形態及び変形例において説明する。
【００１６】
次に、図２に、検査室端末１００のハードウェア構成を示す。
図２に示すように、検査室端末１００は、ＣＰＵ１０１、不揮発メモリ１０２、ＲＡＭ１０３、近距離通信Ｉ／Ｆ（インタフェース）１０４、無線通信Ｉ／Ｆ１０５、ＬＡＮＩ／Ｆ１０６、操作部１０７、表示部１０８を備え、これらをシステムバス１０９により接続した構成としている。
【００１７】
そして、ＣＰＵ１０１が、ＲＡＭ１０３をワークエリアとして不揮発メモリ１０２に記憶されたプログラムを実行することにより、検査室端末１００全体を制御し、図５を用いて後述するものをはじめとする種々の機能を実現する。
不揮発メモリ１０２は、不揮発性記憶媒体（記憶手段）であり、ＣＰＵ１０１が実行する各種プログラムや後述する各種データを格納している。不揮発メモリ１０２は大容量のフラッシュメモリ等により構成できる。
【００１８】
近距離通信Ｉ／Ｆ１０４は、比較的狭い、通信可能範囲内の通信相手と無線通信を行うためのインタフェースである。ここでは、近距離通信Ｉ／Ｆ１０４の通信可能範囲１００ａを、検査室端末１００が配置される検査エリアと概ね同サイズとしている。また、近距離通信Ｉ／Ｆ１０４は、通信可能範囲１００ａ内にある、通信相手となり得る装置を随時サーチしており、通信相手となり得る装置を検出すると、その相手との間で通信経路を確立させる。このときに、相手装置からその識別情報を取得することにより、近距離通信Ｉ／Ｆ１０４は通信可能範囲１００ａ内にあるユーザ端末３００を検出することができる。以上の近距離通信Ｉ／Ｆ１０４としては、例えば例えばＢｌｕｅｔｏｏｔｈ（登録商標）  Ｌｏｗ  Ｅｎｅｒｇｙ規格のインタフェースを用いることができる。
【００１９】
無線通信Ｉ／Ｆ１０５は、無線ＬＡＮ３０を介してユーザ端末３００等の他の装置と通信するためのインタフェースである。無線ＬＡＮ３０の規格に応じた物を設ければよい。
ＬＡＮＩ／Ｆ１０６は、ＬＡＮ２０を介して診察室端末２００等の他の装置と通信するためのインタフェースである。ＬＡＮ２０の規格に応じた物を設ければよい。
【００２０】
操作部１０７は、ユーザからの操作を受け付けるための操作手段であり、各種のキー、ボタン、タッチパネル等により構成することができる。
表示部１０８は、検査室端末１００の動作状態や設定内容、メッセージ等をユーザに提示するための提示手段であり、液晶ディスプレイやランプ等を備える。
【００２１】
なお、操作部１０７及び表示部１０８は外付けであってもよい。また、検査室端末１００がユーザからの操作を直接受ける必要がない（各種通信Ｉ／Ｆを介して接続された外部装置により操作を受け付けたり情報の提示を行ったりすればよい）場合には、操作部１０７や表示部１０８を設けなくてよい。
【００２２】
次に、図３に、診察室端末２００のハードウェア構成を示す。
図３に示すように、診察室端末２００は、ＣＰＵ２０１、不揮発メモリ２０２、ＲＡＭ２０３、ＨＤＤ（ハードディスクドライブ）２０４、無線通信Ｉ／Ｆ２０５、ＬＡＮＩ／Ｆ２０６、操作部２０７、表示部２０８を備え、これらをシステムバス２０９により接続した構成としている。
これらのうちＨＤＤ２０４は、各ユーザ端末３００に指示した検査の内容や、各ユーザ端末３００から送信される検査結果等のデータを蓄積するための、大容量の不揮発性記憶手段である。
その他の各部は、具体的な構成や性能が同一である必要はないものの、図２を用いて説明した検査室端末１００が備えるものと同趣旨である。
【００２３】
次に、図４に、ユーザ端末３００のハードウェア構成を示す。
図４に示すように、ユーザ端末３００は、ＣＰＵ３０１、不揮発メモリ３０２、ＲＡＭ３０３、近距離通信Ｉ／Ｆ３０４、無線通信Ｉ／Ｆ３０５、操作部３０６、表示部３０７を備え、これらをシステムバス３０８により接続した構成としている。
これらの各部は、具体的な構成や性能が同一である必要はないものの、図２を用いて説明した検査室端末１００が備えるものと同趣旨である。ユーザ端末３００は、ＬＡＮ２０を介した通信を行う必要はないため、ＬＡＮＩ／Ｆは備えていない。
【００２４】
以上のシステムにおいて特徴的な点の一つは、複数の検査エリアにおける待機列の状態に基づき、ユーザ端末３００を割り当てられた被検者が受けるべき検査についての推奨の検査順序を、ユーザ端末３００を介して被検者に提示すると共に、待機列の変化に応じて推奨の検査順序を随時更新する点である。以下、この点について具体的に説明する。
【００２５】
まず図５に、図１に示した各装置が備える、推奨の検査順序の提示に関連する機能の構成を示す。図５に示す各部の機能は、各装置のＣＰＵが、所要のプログラムを実行して所要のハードウェアを制御することにより実現されるものである。
図５に示すように、検査室端末１００は、端末検出部１２１、待機列管理部１２２、情報通知部１２３、および操作受付部１２４を備える。また図６に、これらの各部の利用に供するために検査室端末１００が保持するデータの例を示す。
【００２６】
上記のうち端末検出部１２１は、上述した近距離通信Ｉ／Ｆ１０４の通信可能範囲１０４ａ内にあるユーザ端末３００を検出する検出手段の機能を備える。この検出を定期的に行い、前回の検出結果と対比することにより、新たに通信可能範囲１０４ａに入ったユーザ端末３００と、通信可能範囲１０４ａから出たユーザ端末３００とを把握することができる。端末検出部１２１は、これらの情報を待機列管理部１２２に通知する。
また、検査室端末１００は、端末検出部１２１が検出するユーザ端末３００を割り当てられた被検者が、検査室端末１００が配置された検査エリア内にいると推定して、待機列の管理や次の被検者の呼び出し等を行う。
【００２７】
待機列管理部１２２は、端末検出部１２１から渡されるユーザ端末３００の入退の情報に基づき、検査室端末１００が配置される検査エリアでの検査の待ち状況を示す待機列を管理する機能を示す。また、待機列管理部１２２は、端末検出部１２１がユーザ端末３００を検出した順に、そのユーザ端末３００を待機列に加える。従って、ユーザ端末３００を携帯する被検者は、単に受けたい検査を行っている検査エリアに入るだけで、特段の操作を行うことなく、その検査の待機列に並ぶことができる。
【００２８】
なお、実際に検査を受けるのはユーザ端末３００を割り当てられた被検者であるが、待機列管理部１２２は、端末ＩＤにより識別されるユーザ端末３００を対象として待機列の管理を行えばよく、ユーザ端末３００を割り当てられた被検者の名前を考慮するのは、被検者を呼び出す時のみでよい。また、待機列管理部１２２は、新たに検出したユーザ端末３００を無条件で待機列に加えるのではなく、検査室端末１００が配置される検査エリアで行う検査が未実行の状態でユーザ端末３００に登録されていることや、ユーザ端末３００が他の検査室端末１００において待機列に並んでいないこと等を確認してから待機列に加えてもよい。
【００２９】
待機列管理部１２２は、上記の待機列を図６の待機列リスト１３２として管理する。この待機列リスト１３２において、「順序」は被検者が待機列に並んだ順序を示す。「端末ＩＤ」は、待機列に並んだユーザ端末３００の端末ＩＤである。「被験者名」は、そのユーザ端末３００を割り当てられている被検者の氏名である。この被検者名は、ユーザ端末リスト１３１を参照して端末ＩＤと対応するものを登録すればよい。「検査中」は、ユーザ端末３００に割り当てられた被検者の状態を示す情報である。「○」が検査の実施中あるいは直ちに検査を受けられる状態を示し、空欄は検査を待っている状態であることを示す。
また、待機列管理部１２２は、待機列リスト１３２に変動があると、その変動後の待機人数を情報通知部１２３へ通知する。なお、検査中の被検者がいるか否かも検査の待ち時間に影響を与えることから、検査中の被検査も待機人数にカウントする。
【００３０】
情報通知部１２３は、待機列管理部１２２からの通知に応じて、変動後の待機列の人数を、各ユーザ端末３００へ通知する提供手段の機能を備える。また、必要に応じて、図６の検査情報１３３として保持される、当該待機列のある検査場所や、一人当たりの所要時間など、待機列と対応する検査の情報も合わせて通知する。検査情報１３３は、一度の通知でユーザ端末３００に保持されるのであれば、何度も続けて通知する必要はない。
【００３１】
情報通知部１２３による通知の送信先は、図６のユーザ端末リスト１３１に従って、被検者に割り当てられている全てのユーザ端末３００とすればよい。なお、情報通知部１２３は、送信先のユーザ端末３００が、当該情報通知部１２３を備える検査室端末１００の無線通信Ｉ／Ｆ１０５から直接通信可能な範囲にいる場合は、上記通知に当たり無線通信Ｉ／Ｆ１０５を介した通信を行えばよい。しかしそうでない場合には、他の検査室端末１００あるいは診察室端末２００に依頼して、上記通知を送信させる。
【００３２】
ユーザ端末リスト１３１は、病院Ｓ内にて使用されるユーザ端末３００のリストである。そして、「端末ＩＤ」はユーザ端末３００の識別情報である。図では「００１」等と記載しているが、ＭＡＣ（Media  Access  Control）アドレスを端末ＩＤとして用いることができる。「アドレス」は、該当のユーザ端末３００に情報を送信する際に送信先として指定すべきアドレスである。ここではＩＰ（Internet  Protocol）アドレスを用いている。「被検者名」は、該当のユーザ端末３００を割り当てられている被検者の名前である。被検者に割り当てられていない場合には空欄である。
これらの情報は、診察室端末２００あるいはその他の管理用端末にて入力され、各検査室端末１００に送信される。
【００３３】
次に、操作受付部１２４は、検査室端末１００のオペレータから、次の被検者を呼び出す指示を受け付ける機能を備える。
呼出部１２５は、操作受付部１２４が受け付けた指示に応じて、待機列リスト１３２に登録されている次のユーザ端末３００に対する呼び出しメッセージの送信を情報通知部１２３に要求する機能を備える。
【００３４】
情報通知部１２３は、上述の通知の機能に加え、呼出部１２５からの要求に応じてユーザ端末３００へ呼びだしメッセージを送信する機能も備える。
また、情報通知部１２３は、ユーザ端末３００からの要求に応じて、待機列管理部１２２が管理する待機列の人数や検査情報１３３をそのユーザ端末３００へ提供する機能も備える。
【００３５】
次に、診察室端末２００は、被検者情報受付部２２１、診断入力受付部２２２、検査要求部２２３、検査結果取得部２２４、および検査結果管理部２２５を備える。
このうち被検者情報受付部２２１は、診察室端末２００のオペレータから、患者、健康診断の受診者等、病院Ｓにて検査を受ける被検者の情報の入力を受け付ける機能を備える。被検者へのユーザ端末３００の割り当ても、この被検者情報受付部２２１が受け付けるとよい。
【００３６】
診断入力受付部２２２は、被検者情報受付部２２１に入力された被検者の情報に基づき、被検者が受けるべき検査を指示する情報の入力を受け付ける機能を備える。この情報は、医師が診断の結果に基づき入力したり、その補助者が入力したりするものである。また、診断入力受付部２２２は、指示済みの検査に対する検査結果が検査結果管理部２２５から提供された場合にも、これを医師に提示し、被検者が追加して受けるべき検査を指示する情報の入力を受け付ける機能を備える。
【００３７】
検査要求部２２３は、診断入力受付部２２２に入力された、被検者に対する検査の指定に基づき、その被検者に割り当てられているユーザ端末３００に対し、受けるべき検査の項目の情報を送信する機能を備える。また、受けるべき検査がない場合には、検査要求部２２３はユーザ端末３００へその旨を伝える。診察室端末２００も、検査室端末１００が保持するものと同じユーザ端末リスト１３１を保持しており、情報の送信先アドレスはこのユーザ端末リスト１３１から取得することができる。
【００３８】
検査結果取得部２２４は、ユーザ端末３００から送信されてくる検査結果を取得する機能を備える。
検査結果管理部２２５は、検査結果取得部２２４が取得した検査結果を被検者毎に登録して管理すると共に、新たに検査結果を登録した場合にその内容を診断入力受付部２２２に提供して、追加検査の要否について判断を求める機能を備える。
【００３９】
次に、ユーザ端末３００は、情報取得部３２１、近距離通信部３２２、待機列情報管理部３２３、検査項目登録部３２４、検査結果登録部３２５、検査順提案部３２６、および操作受付部３２７を備える。また図７に、これらの各部の利用に供するためにユーザ端末３００が保持するデータの例を示す。
上記のうち情報取得部３２１は、検査室端末１００の情報通知部１２３から通知される待機列等の情報を取得する機能を備える。また、情報通知部１２３に対して待機列等の情報を要求して送信させる機能も備える。
【００４０】
ここで、ユーザ端末３００は、図７に示すように検査室端末リスト３３１として、各検査エリアに配置された検査室端末１００の情報を保持している。検査室端末リスト３３１中、「端末ＩＤ」は検査室端末１００の識別情報である。図では「００１」等と記載しているが、ＭＡＣ（Media  Access  Control）アドレスを端末ＩＤとして用いることができる。「アドレス」は、該当の検査室端末１００に情報を要求する際に要求の送信先として指定すべきアドレスである。ここではＩＰ（Internet  Protocol）アドレスを用いている。「検査エリア」は、該当の検査室端末１００が配置されている検査エリアの名称又は識別情報である。
【００４１】
情報取得部３２１は、所望の検査エリアにおける現在の待機列の情報を、検査室端末リスト３３１中に、該当の検査エリアに配置された検査室端末１００のアドレスに対して要求を送信することにより、取得できる。
近距離通信部３２２は、検査室端末１００に検出されるべく、近距離通信Ｉ／Ｆ３０４により検査室端末１００と通信する機能を備える。
【００４２】
待機列情報管理部３２３は、各検査室端末１００から通知されるか、又は検査室端末１００へ要求して取得した、各検査エリアにおける待機列の情報を管理する機能を備える。待機列情報管理部３２３は、この情報を、図６の待機列情報３３３として登録し、随時更新する。
待機列情報３３３のうち、「検査エリア」は、病院Ｓ内に設置された各検査エリアの名称あるいは識別情報である。「待機列」は、当該検査エリアで行われる検査の待機列に並んでいる人数である。「一人当たり待ち時間」は、当該検査エリアで行われる検査で一人当たりに要する時間である。
【００４３】
検査項目登録部３２４は、診察室端末２００の検査要求部２２３から送信される、受けるべき検査の項目の情報を受け付ける受付手段の機能と、この情報を図６の検査項目リスト３３２に登録する登録手段の機能とを備える。
検査項目リスト３３２のうち、「検査項目」は、病院Ｓ内で実施している検査の項目である。「要否」は、ユーザ端末３００を割り当てられた被検者が該当項目の検査を受ける必要があるか否かを示す情報である。「要」が必要あり、「否」が必要なしを示す。なお、「否」の項目は検査項目リスト３３２から除外してもよい。「状況」は、被検者が該当項目の検査を受けたか否か示す情報である。「未」がまだ受けていないことを、「済」が既に受けたことを示す。「待機中」は、待機列に並んでいるか、または検査を受けている最中であることを示す。「検査エリア」は、該当項目の検査を行っている検査エリアの名称又は識別情報である。「検査結果」は、該当項目の検査結果の情報である。
【００４４】
検査結果登録部３２５は、検査装置４００から提供される検査結果を、検査項目と対応付けて検査項目リスト３３２に登録する機能を備える。また、必要な全ての検査項目について検査結果が揃った場合に、その内容を診察室端末２００の検査結果取得部２２４へ送信する機能も備える。
【００４５】
検査順提案部３２６は、待機列情報３３３に基づき、検査項目リスト３３２に登録された、被検者がまだ受けていない検査について、検査を受ける推奨の順序を作成し、表示部１０８により表示してユーザに提示する提示手段の機能を備える。検査順提案部３２６が作成した検査順序は、図７の推奨検査順序３３４として保持される。
推奨検査順序３３４において、「順序」は検査を受ける順序を、「検査項目」は、該当順序で受けるべき検査の項目を示す。図７の例では、検査１、検査５、検査２の順で検査を受けるべきことが登録されている。
【００４６】
検査順提案部３２６は、待機列情報３３３が更新される度に、すなわち、検査室端末１００において待機列リストが変化したことを検出する度に、更新後（変化後）の条件に従って新たな推奨検査順序３３４を作成する。また、検査項目リスト３３２が更新された場合にも、更新後の条件に従って新たな推奨検査順序３３４を作成する。
また、検査順提案部３２６が推奨検査順序３３４を生成するアルゴリズムは、任意であり、複数から選択できるようにしてもよい。一例としては、検査エリアの待機列の人数と一人当たり待ち時間を乗じて得られる待ち時間の推定値が小さい検査から順に受けることが考えられる。あるいは、単純に待機列の人数が少ない検査から順に受けることも考えられる。もちろん、その他のアルゴリズムを採用してもよい。
【００４７】
操作受付部３２７は、ユーザ端末３００に対する各種操作を受け付ける機能を備える。
図８に、この操作を受け付けるための画面の例を示す。
図８に示す検査状況画面６００は、ユーザ端末３００の表示部１０８に表示する画面である。そして、上述の推奨検査順序３３４に基づき被検者に推奨する検査順序を表示する検査順序表示部６１０と、検査項目リスト３３２に基づき被検者が受けるべき検査の項目及びその状況を表示する検査項目表示部６２０とを備える。
【００４８】
なお、検査順序表示部６１０には、推奨検査順序３３４の内容をそのまま表示するとは限らない。例えば、ユーザは表示されている検査項目を選択し、上移動ボタン６１１又は下移動ボタン６１２を操作することにより、選択下検査項目の順序を上（前）又は下（後）に移動させることができる。また、更新設定ボタン６１３を操作することにより、自動での表示更新のオンオフをトグルで切り替えることができる。
【００４９】
自動での表示更新をオフにした場合、検査順提案部３２６は、新たに推奨検査順序３３４を作成しても、検査順序表示部６１０の表示を更新しない。従って、ユーザが上移動ボタン６１１及び下移動ボタン６１２等により編集された検査順序がそのまま表示される。従って、被検査者は、最初に表示された推奨検査順序を任意に編集し、その編集で作成した所望の検査順序を継続して参照しながら検査を受けることができる。
【００５０】
また、検査項目表示部６２０には、状況が「待機中」の検査項目と対応する保留ボタン６２１を設ける。この保留ボタン６２１は、該当の検査項目を保留して他の検査エリアへ移動することを指示するためのボタンである。保留ボタン６２１により保留が指示された項目は、以後、保留が解除されるまで、検査順提案部３２６による推奨検査順序３３４の作成の際、考慮の対象から除外される。また、保留が指定された項目については、保留ボタン６２１と同じ位置に、保留の解除を指示するための保留解除ボタンを表示するとよい。
【００５１】
また、検査項目表示部６２０には、状況が「済」の検査項目と対応する結果参照ボタン６２２も設ける。このボタンは、該当項目について登録済みの検査結果を表示させることを指示するためのボタンである。結果参照ボタン６２２の操作に応じて、該当の検査結果がポップアップ表示される。
以上が、図１に示した各装置が備える機能である。
【００５２】
次に、推奨の検査順序の提示に関連して図１に示した各装置が実行する動作及び処理について説明する。以下に説明する動作は、各装置のＣＰＵが所要のプログラムを実行することにより所要のハードウェアを制御して行うものである。しかし、説明を簡単にするため、各装置が該当の動作を実行するものとして説明する。
【００５３】
まず図９に、被検者に検査を受けることを指示する際の動作を示す。
この場合まず、診察室端末２００は、被検者に受けさせる検査の項目の入力を受け付ける（Ｓ１１）。医師等がこれを入力すると、診察室端末２００は、その入力された検査項目をユーザ端末３００へ送信し、当該検査項目を、検査を受けるべき項目として指定する（Ｓ１２）。このとき、医師等が入力した項目を、ユーザ端末３００や検査室端末１００が取り扱う検査項目に形式変更する処理を行ってもよい。
一方、ステップＳ１２の指定を受けたユーザ端末３００は、検査項目リスト３３２における、指定された検査項目の「要否」を「要」に変更し、該当項目の検査を受けるべきことを登録する（Ｓ１３）。この動作は、受付手段の機能と対応する。
【００５４】
次に、ユーザ端末３００は、「要否」が「要」の項目の検査を行っている検査エリアに配置された各検査室端末１００に対してそれぞれ、待ち時間の問い合わせを行う（Ｓ１４）。
この問い合わせを受けた検査室端末１００は、当該検査室端末１００が管理する待機列に並ぶ人数と、一人当たり所要時間を取得して（Ｓ１５）、ユーザ端末３００へ回答する（Ｓ１６）。この動作は、提供手段の機能と対応する。
【００５５】
検査室端末１００は、この回答に従って待機列情報３３３を更新する（Ｓ１７）。そして、更新後の待機列情報３３３に従い、検査要の検査項目につき推奨の検査順序を作成する（Ｓ１８）。そして、検査状況画面６００の検査項目表示部６２０に、ステップＳ１３の登録後の検査項目リスト３３２に従って被検者が受けるべき検査項目を表示し（Ｓ１９）、検査順序表示部６１０にステップＳ１８で作成した推奨の検査順序を表示する（Ｓ２０）。ステップＳ１８及びＳ２０の動作は、提示手段の機能と対応する。またここでは、検査項目の更新後の初回であるので、自動更新がオフの場合でも表示を行う。
【００５６】
以上により、ユーザ端末３００に、そのユーザ端末３００に対応付けられた被検者が医師の指示に従って受けるべき検査の項目と、その推奨の検査順序を提示することができる。ユーザがこの推奨の検査順序に従って検査を受ければ、待ち時間の少ない検査から順に受けることができ、効率的な検査が可能となる。これは、病院側から見ても、患者等の検査のための滞留時間を減少させることができ、効率的な運営に資する。
【００５７】
次に図１０に、被検者（ここではユーザ端末３００−１を携帯する被検者とする）がいずれかの検査エリア（ここでは検査室端末１００−１が配置された第１検査エリアとする）に入った場合の動作を示す。
この場合、ユーザ端末３００−１と検査室端末１００−１との間で、近距離通信Ｉ／Ｆによる通信が可能となる（Ｓ２１）。検査室端末１００−１はこの通信によりユーザ端末３００−１の端末ＩＤを取得し、このことにより第１検査エリア内に新たにユーザ端末３００−１を検出したとして、ユーザ端末３００−１を待機列リスト１３２の末尾に追加する（Ｓ２２）。この動作が、検出手段及び整列手段の機能と対応する。
【００５８】
ステップＳ２２の後、検査室端末１００−１は、全てのユーザ端末３００（ここでは１〜Ｎとする）に対し、この時点での待機列の人数を含む状態更新通知を送信する（Ｓ２３）。被検者が対応付けられているユーザ端末３００のみに送信してもよい。そして、この通知を受信した各ユーザ端末３００はそれぞれ、通知に従って待機列情報３３３を更新する（Ｓ２４）と共に、更新後の待機列情報３３３に従って推奨の検査順序を再計算し（Ｓ２５）、新たな推奨の検査順序を、検査状況画面６００の検査順序表示部６１０に表示する（Ｓ２６）。自動更新がオフの場合には表示は行わない。
【００５９】
また、ユーザ端末３００−１は、ステップＳ２１の後、検査項目リスト３３２のうち、通信相手の検査室端末１００−１（が配置された検査エリア）と対応する検査項目の「状況」を、「待機中」に変更する（Ｓ２７）。さらに、検査状況画面６００において、当該検査項目と対応する位置に保留ボタン６２１を表示する。
【００６０】
以上の動作により、検査室端末１００−１は、対応する検査エリアに入ったユーザ端末を自動的に待機列に登録することができる。なお、検査室端末１００−１が他のユーザ端末３００−１を検出した場合にも同様な動作を行うことにより、待機列リストには、検査室端末１００−１に検出された順にユーザ端末３００が登録されることになる。
また、ユーザ端末３００は、検査室端末１００において待機列の人数が変わった場合に速やかにこれを検出し、変更後の人数やそれに応じた待ち時間を、推奨する検査順序に反映させることができる。ユーザ端末３００は、全ての検査室端末１００から、同様にステップＳ２３の通知を受けることができる。
【００６１】
次に図１１に、被検者が、必要な全項目の検査を終了した場合の動作を示す。
ユーザ端末３００は、対応付けられた被検者が一項目の検査を受ける度に、その検査結果を検査装置４００から取得して検査項目リスト３３２に登録する。従って、「要否」が「要」となっている全ての検査項目について検査結果が登録されると、被検者が、必要な全項目の検査を終了したことを検出できる（Ｓ３１）。ユーザ端末３００は、この検出に応じて、診察室端末２００に対し、登録されている検査結果を送信する（Ｓ３２）。この動作は送信手段の機能と対応する。
【００６２】
診察室端末２００は、ステップＳ３２で検査結果が送信されると、その送信された検査結果を医師に提示し、追加検査要否の入力を求める（Ｓ３３）。追加検査要の場合には、検査項目の指定も求める。
ここで追加検査要の入力があった場合（Ｓ３４のＹｅｓ）、診察室端末２００は、入力された項目をステップＳ３２での送信元であるユーザ端末３００へ送信し、当該項目を、追加して検査を受けるべき項目として指定する（Ｓ３５）。
【００６３】
一方、ステップＳ３５の指定を受けたユーザ端末３００は、検査項目リスト３３２における、指定された検査項目の「要否」を「要」に変更し、該当項目の検査を受けるべきことを登録する（Ｓ３６）。この動作は、更新手段の機能と対応する。
その後、診察室端末２００は、図９のステップＳ１４乃至Ｓ２０と同様な動作により、推奨の検査順序等を表示する（Ｓ３７）。これらのステップＳ３５乃至Ｓ３７の動作は、検査項目が追加で指定されること及び、指定先が検査結果の送信元のユーザ端末であることを除けば図９のステップＳ１２以降と同様なものである。
また、ステップＳ３４でＮｏの場合、診察室端末２００は、ステップＳ３２での送信元であるユーザ端末３００に対して、検査終了を通知する（Ｓ３８）。ユーザ端末３００は、この通知を受けると、表示部１０８により検査終了のメッセージを表示する。
【００６４】
以上の動作により、被検者は、初めに指示された検査の結果に応じて追加の検査が必要になった場合でも、診察室に戻ることなくこの指示を受けて追加の検査に進むことができ、全体としての所要時間を短縮できる。
なお、図１１の例では全項目の検査が終了してから検査結果を送信するようにしたが、一部の検査が終了した時点で送信することも考えられる。この場合、当該一部の検査の結果から他の検査が不要と判断できる場合、医師の判断により、図１１と同様な手順で、既にユーザ端末３００に登録されている検査項目の指定を削除できるようにしてもよい。このようにすれば、無駄な検査を削減することができる。
【００６５】
次に図１２に、検査エリアにおいてある被検者の検査が終了した場合の動作を示す。
この場合、検査室端末１００のオペレータが、検査室端末１００に対し、次の被検者を呼び出すよう指示する（Ｓ５１）。
この指示は、例えば図１３に示す画面により受け付けることができる。
【００６６】
図１３に示す検査室端末画面７１０は、検査室端末１００が管理する待機列にて待機している被検者の情報を表示する画面である。そして、待機列リスト１３２に登録されている各ユーザ端末３００の「端末ＩＤ」、「被験者名」及び「検査中」の情報が、検査待ちリスト表示部７１１に表示される。次呼び出しボタン７１２が、ステップＳ５１の指示を受け付けるためのボタンである。
【００６７】
検査室端末１００は、この指示を受け付けると、待機列リスト１３２において「検査中」となっているユーザ端末３００の次に登録されているユーザ端末３００を特定し（Ｓ５２）、そのユーザ端末に対して呼出通知を送信する（Ｓ５３）。この呼出通知を受けたユーザ端末３００は、表示部３０７に、図１３に示す呼出画面７２０を表示して、検査の順番が来た旨を、ユーザ端末３００を携帯する被検者に通知する。この呼出画面７２０に表示されるメッセージ７２１は、被検者を、呼出通知の送信元の検査室端末１００が配置される検査エリアを誘導するものであり、検査室端末１００の端末ＩＤやアドレスに基づき、検査室端末リスト３３１を参照して作成することができる。また、呼出画面７２０の表示に加え、音や振動等による通知を行ってもよい。
【００６８】
また、検査室端末１００は、ステップＳ５３の後、待機列リスト１３２において「検査中」となっているユーザ端末３００を待機列リスト１３２から削除する（Ｓ５５）と共に、呼出通知の送信先のユーザ端末３００の状態を、「検査中」に設定する（Ｓ５６）。次に、検査室端末１００は、全てのユーザ端末３００に対し、図１０のステップＳ２３の場合と同様に、この時点での待機列の人数を含む状態更新通知を送信する（Ｓ５７）。ここで通知する人数は、ステップＳ５５の削除により、それまでよりも減少した人数となる。
この通知を受信した各ユーザ端末３００はそれぞれ、図１０のステップＳ２４乃至Ｓ２６の場合と同様に、待機列情報３３３の更新と、推奨の検査順序の再計算及び表示を行う（Ｓ５８〜Ｓ６０）。
【００６９】
以上の動作により、検査室端末１００のオペレータは、被検者の検査が終わる毎に、簡単な操作で次の被検者を呼び出すことができる。また、ユーザ端末３００は、検査室端末１００において待機列の人数が変わった場合に速やかにこれを検出し、変更後の人数やそれに応じた待ち時間を、推奨する検査順序に反映させることができる。
【００７０】
図１４に、検査の終了及び被検者の移動に応じた待機列リスト１３２の遷移例を示す。
図１４において、（ａ）の状態では第１検査エリアと第２検査エリアに２名ずつの待機列ができている。ここで、第１検査エリアにおいて被検者Ａの検査が終わり、オペレータが次の被検者Ｃを呼び出すと、図１２の動作により被検者Ａの情報が検査室端末１００−１の待機列リストから削除される。また、その後被検者Ａが第２検査エリアに入ると、図１０の動作により検査室端末１００−２の待機列リストの末尾に被検者Ａの情報が追加さされる。その結果、各検査室端末の待機列リスト１３２は、（ｂ）に示す状態となる。
【００７１】
なお、図１４のステップＳ５２以降の動作は、検査室端末１００が、待機列リスト１３２において検査中となっているユーザ端末３００（通常は待機列リスト１３２の先頭に登録されている）との間での近距離通信Ｉ／Ｆによる通信が途絶したことをトリガに開始してもよい。図１５に、この場合の図１４と対応する動作シーケンスを示す。
検査を終えた被検者がユーザ端末３００を携帯して検査エリアを出たことは、近距離通信ができなくなったことにより検出できる。これをトリガとすることにより、検査室端末１００のオペレータが何ら操作を行わなくても、一人分の検査を終える毎に次の被検者を呼び出すことができる。
【００７２】
なお、同様にして、検査室端末１００が、待機列リスト１３２に登録されているいずれかのユーザ端末３００との間で近距離通信Ｉ／Ｆによる通信が途絶したことを検出した場合に、そのユーザ端末３００を待機列リスト１３２から削除するようにしてもよい。この場合、図１０のステップＳ２３〜Ｓ２６や、図１２のステップＳ５７〜Ｓ６０と同様に、各ユーザ端末３００に、削除後の待機列の人数を通知し、待機列情報３３３の更新と、推奨の検査順序の再計算及び表示を行わせる。また、削除したユーザ端末３００には、検査項目リスト３３２中で「状況」が「待機中」となっている箇所を、「未」に戻させる。
【００７３】
このようにすれば、被検者は、何らかの理由で一旦待機列に並んだ検査を後回しにしたい場合に、検査エリアから立ち去るのみで、待機列を抜けることができる。
なお、この待機列を抜ける動作は、ユーザ端末３００に対する何らかの操作をトリガに行ってもよい。この場合、ユーザ端末３００は、待機列からの削除を希望する旨を、検査項目リスト３３２中で「状況」が「待機中」となっている検査項目と対応する検査室端末１００に通知すると共に、当該「状況」を「未」に戻す。そして、通知を受けた検査室端末１００が、通知元のユーザ端末３００を待機列リスト１３２から削除すればよい。
このようにすれば、被検者は、検査エリアを出なくても、待機列を抜けることができる。
【００７４】
〔変形例：図１６乃至図１８〕
以上で実施形態の説明を終了するが、この発明において、装置の具体的な構成、具体的な処理の手順、データの形式、通信に用いるプロトコル、ネットワークの構成等は、実施形態で説明したものに限るものではない。
例えば、上述した実施形態では、各検査室端末１００からの待機列の情報の収集を、ユーザ端末３００が行う例について説明したが、これを診察室端末２００が行うようにしてもよい。
【００７５】
図１６に、このようにした場合の図９と対応する動作シーケンスを示す。
図１６において、ステップＳ１０１は図９のステップＳ１１と同じである。ステップＳ１０２〜Ｓ１０５は、問い合わせを行い、またその結果を待機列情報３３３に反映させるのが診察室端末２００であるが、その他の点では図９のステップＳ１４〜Ｓ１７と同じである。なお、待機列情報３３３は診察室端末２００が保持する。
【００７６】
ステップＳ１０６では、診察室端末２００は、ステップＳ１０１で入力された検査項目に加え、その項目の検査を行っている検査エリアの待ち時間の情報を、待機列情報３３３から取り出してユーザ端末３００へ送信する。
ステップＳ１０７乃至Ｓ１１０は、図９のステップＳ１３及びＳ１８乃至Ｓ２０と対応し、ユーザ端末３００は、ステップＳ１０６で受信した情報に基づき、推奨の検査順序を生成して表示する。
このようにしても、上述した実施形態の場合と同様な効果が得られる。
【００７７】
検査項目の指定時だけでなく、図１０や図１２に示した検査室端末１００における随時の待機列リスト１３２の更新も、診察室端末２００に通知して診察室端末２００にて待機列情報３３３に反映させるようにしてもよい。この場合、待機列情報３３３の更新に応じて、診察室端末２００から各ユーザ端末３００に、最新の待ち時間情報を通知すれば、上述した実施形態の場合と同様な、推奨の検査順序の更新と表示を行うことができる。
【００７８】
また、上記の他、図１６に示すように、ＬＡＮ２０に接続される管理サーバ５００を設け、管理サーバ５００に待機列情報３３３を保持させるようにしてもよい。
図１７に、このようにした場合の図９と対応する動作シーケンスを示す。
図１７において、各検査室端末１００は、待機列リストの変化を検出する度に（Ｓ１１１）、管理サーバ５００に対し、図１０のステップＳ２３や図１２のステップＳ５７と同様な状態更新通知を送信する（Ｓ１１２）。管理サーバ５００は、この状態更新通知を受信すると、その内容に応じて待機列情報３３３を更新する（Ｓ１１３）。
【００７９】
一方、診察室端末２００は、被検者に受けさせる検査の項目の入力を受け付けると（Ｓ１２１）、管理サーバ５００に対し、受け付けた項目の検査を行っている検査エリアにおける待ち時間の問い合わせを行う（Ｓ１２２）。管理サーバ５００は待機列情報３３３を参照してその問い合わせに対する回答を行う（Ｓ１２３）。
以後のステップＳ１２４〜Ｓ１２８の動作は、図１６のステップＳ１０６〜Ｓ１１０と同様である。
このようにしても、上述した実施形態の場合と同様な効果が得られる。
【００８０】
また、この場合、ユーザ端末３００は、適当な周期で管理サーバ５００にアクセスして、待機列情報３３３が前回アクセス時から更新されているか否か確認し、更新されている場合に、図１０のステップＳ２５及びＳ２６等と同様に、更新後の待機列情報３３３に従って推奨の検査順序の更新と表示を行うとよい。
【００８１】
また、以上の他、ユーザ端末３００が、いずれかの検査室端末１００が管理する待機列に登録されている場合に、残り待ち時間の情報を随時取得し、他の検査エリアにおける、待ち時間がより短い検査を発見した場合には、その検査を先に受信するよう、メッセージ等により被検者に促すようにしてもよい。
【００８２】
また、上述した実施形態において各装置が備えていた機能は、複数の装置に分散して設け、それらの装置を協働させて特定の機能を実現させたり、逆に、複数の装置に分散して設けられていた機能を１つの装置に統合して設けたりしてもよい。例えば、診察室端末２００の機能を、いずれかの検査室端末１００に兼ねさせるようにすることが考えられる。あるいは、ユーザ端末３００が備えていた、推奨の検査順序を作成する機能を、診察室端末２００に設け、ユーザ端末３００は、診察室端末２００から通知される推奨の検査順序を単に表示するようにすることも考えられる。
【００８３】
また、この発明は、病院における検査の管理だけでなく、他の施設や、臨時的な設備での検査の管理にも適用可能である。また、医療以外の分野における検査や、あるいは、検査以外でも人が複数のエリアを回ってそれぞれのエリアで何らかの工程を消化する必要がある場合における工程管理にも、この発明は適用可能である。
【００８４】
また、この発明のプログラムの実施形態は、コンピュータに所要のハードウェアを制御させて上述した実施形態における検査室端末１００、診察室端末２００あるいはユーザ端末３００の機能、あるいはこれらの装置の任意の機能を取り出して組み合わせた機能等を、実現させるためのプログラムである。
このようなプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、上述した各機能を実現させることができる。
【００８５】
さらに、ネットワークに接続され、プログラムを記録した記録媒体を備える外部装置あるいはプログラムを記憶手段に記憶した外部装置からダウンロードし、コンピュータにインストールして実行させることも可能である。
また、以上説明してきた各実施形態及び変形例の構成は、相互に矛盾しない限り任意に組み合わせて実施可能であることは勿論である。
【符号の説明】
【００８６】
２０：ＬＡＮ、３０：無線ＬＡＮ、１００：検査室端末、１０１，２０１、３０１：ＣＰＵ、１０２，２０２，３０２：不揮発メモリ、１０３，２０３，３０３：ＲＡＭ、２０４：ＨＤＤ、１０４，３０４：近距離通信Ｉ／Ｆ、１０５，２０５，３０５：無線通信Ｉ／Ｆ、１０６，２０６：ＬＡＮＩ／Ｆ、１０７，２０７，３０６：操作部、１０８，２０８，３０７：表示部、１０９，２０９，３０８：システムバス、１２１：端末検出部、１２２：待機列管理部、１２３：情報通知部、１２４：操作受付部、１２５：呼出部、１３１：ユーザ端末リスト、１３２：待機列リスト、１３３：検査情報、２００：診察室端末、２２１：被験者情報受付部、２２２：診断入力受付部、２２３：検査要求部、２２４：検査結果取得部、２２５：検査結果管理部、３００：ユーザ端末、３２１：情報取得部、３２２：近距離通信部、３２３：待機列情報管理部、３２４：検査項目登録部、３２５：検査結果登録部、３２６：検査順提案部、３２７：操作受付部、３３１：検査室端末リスト、３３２：検査項目リスト、３３３：待機列情報、３３４：推奨検査順序、４００：検査装置、５００：管理サーバ、６００：検査状況画面、６１０：検査順序表示部、６１１：上移動ボタン、６１２：下移動ボタン、６１３：更新設定ボタン、６２０：検査項目表示部、６２１：保留ボタン、６２２：結果参照ボタン、７１０：検査室端末画面、７１１：検査待ちリスト表示部、７１２：次呼び出しボタン、７２０：呼出画面、７２１：メッセージ
【先行技術文献】
【特許文献】
【００８７】
【特許文献１】特開２００２−３１２４７３号公報
【図１】
2017058842.tif 000003
【図２】
2017058842.tif 000004
【図３】
2017058842.tif 000005
【図４】
2017058842.tif 000006
【図５】
2017058842.tif 000007
【図６】
2017058842.tif 000008
【図７】
2017058842.tif 000009
【図８】
2017058842.tif 000010
【図９】
2017058842.tif 000011
【図１０】
2017058842.tif 000012
【図１１】
2017058842.tif 000013
【図１２】
2017058842.tif 000014
【図１３】
2017058842.tif 000015
【図１４】
2017058842.tif 000016
【図１５】
2017058842.tif 000017
【図１６】
2017058842.tif 000018
【図１７】
2017058842.tif 000019
【図１８】
2017058842.tif 000020